(57)【要約】  【課題】  店舗で陳列販売されている全ての商品の商品情報（例えば、販売価格、生鮮食品の鮮度等）を簡単にチェックすることができる販売管理システムを提供する。  【解決手段】  販売する商品の少なくとも品名と販売価格とを含む商品情報を記憶する管理装置１と、前記商品情報を一つ宛表示して棚札或いはＰＯＰ広告の表示内容をチェックする携帯端末３とがネットワークで接続された販売管理システムにおいて、前記商品情報をチェックした時に順番を記憶しておき、次回チェックする際に前記記憶した順番で商品情報を呼び出せるようにする。  【選択図】  図１
2010055278.tif 000002
【特許請求の範囲】
【請求項１】
販売する商品の少なくとも品名と販売価格とを含む商品情報を記憶する管理装置と、前記商品情報を一つ宛表示して棚札或いはＰＯＰ広告の表示内容をチェックする携帯端末とがネットワークで接続された販売管理システムにおいて、
前記商品情報をチェックした時に、そのチェックした順番を記憶しておき、次回チェックする際、前記記憶した順番で商品情報を呼び出すことを特徴とする販売管理システム。
【請求項２】
前記携帯端末は、前記管理装置が記憶する商品情報の送信要求と該管理装置から商品情報の受信を行う通信手段と、前記商品情報の取扱を識別する識別情報を入力する入力手段と、前記入力手段で入力された識別情報を前記管理装置へ問い合わせる問い合わせ手段と、前記一つ宛表示された商品情報をチェックするチェック手段と、前記チェック手段でチェックされた商品情報毎にチェック順を付与する付与手段と、を備え、
前記管理装置は、前記商品情報をチェック順に記憶する記憶部と、前記商品情報を前記携帯端末に記憶順に送信する送信手段と、前記記憶部に前記商品情報の取扱を識別する識別情報を記憶し、更に前記携帯端末から受信した識別情報に基づいて前記商品情報の取扱を承認する承認手段と、を備え、
前記携帯端末が前記通信手段による送信要求時に前記識別情報を前記管理装置に送信し、管理装置は前記携帯端末から受信した送信要求の識別情報に合致する記憶順の商品情報が記憶部に存在する場合、該記憶順の商品情報を携帯端末に順次送信し、携帯端末は受信した記憶順の商品情報を表示してチェックし、チェック手段でチェック順を付与して管理装置に送信し、管理装置は記憶部に記憶する前記記憶順の商品情報をチェック順の商品情報として記憶することを特徴とする請求項１記載の販売管理システム。
【請求項３】
前記携帯端末は、前記管理装置が記憶する商品情報の送信要求と該管理装置から商品情報の受信を行う通信手段と、前記商品情報の取扱を識別する識別情報を入力する入力手段と、前記入力手段で入力された識別情報を前記管理装置へ問い合わせる問い合わせ手段と、前記一つ宛表示された商品情報をチェックするチェック手段と、前記チェック手段でチェックされた商品情報毎にチェック順を付与する付与手段と、を備え、
前記管理装置は、前記商品情報をチェック順に記憶する記憶部と、前記商品情報を前記携帯端末に記憶順に送信する送信手段と、前記記憶部に前記商品情報の取扱を識別する識別情報を記憶し、更に前記携帯端末から受信した識別情報に基づいて前記商品情報の取扱を承認する承認手段と、を備え、
前記携帯端末が前記通信手段による送信要求時に前記識別情報とチェック順を前記管理装置に送信し、管理装置は前記携帯端末から受信した送信要求の識別情報とチェック順とで前記記憶部を参照し、該記憶部に前記チェック順に対応する商品情報が存在する場合、当該チェック順の商品情報を携帯端末に順次送信することを特徴とする請求項１記載の販売管理システム。
【請求項４】
前記携帯端末は、前記管理装置が記憶する商品情報の送信要求と該管理装置から商品情報の受信を行う通信手段と、前記商品情報の取扱を識別する識別情報を入力する入力手段と、前記入力手段で入力された識別情報を前記管理装置へ問い合わせる問い合わせ手段と、前記一つ宛表示された商品情報をチェックするチェック手段と、前記チェック手段でチェックされた商品情報毎にチェック順を付与する付与手段と、を備え、
前記管理装置は、前記商品情報をチェック順に記憶する記憶部と、前記商品情報を前記携帯端末に記憶順に送信する送信手段と、前記記憶部に前記商品情報の取扱を識別する識別情報及びチェック順を記憶し、更に前記携帯端末から受信した識別情報に基づいて前記商品情報の取扱を承認する承認手段と、を備え、
前記携帯端末が前記通信手段による送信要求時に前記識別情報とチェック順を前記管理装置に送信し、管理装置は前記携帯端末から受信した送信要求の識別情報と合致するチェック順に対応する商品情報が記憶部に存在しない場合、該管理装置は記憶部に記憶する前記識別情報と合致する記憶順の商品情報を携帯端末に順次送信することを特徴とする請求項１記載の販売管理システム。
【請求項５】
前記記憶部が記憶する商品情報の項目に、該商品情報を送信するか否かを区分けする送信区分と、取扱の順位を有し、前記送信手段は、前記送信区分に基づいて商品情報を送信するか否かを判定し、更に取扱の順位に基づき商品情報を送信することを特徴とする請求項２乃至４の何れか１項記載の販売管理システム。
【請求項６】
前記記憶順は、前記商品情報が記憶部に記憶された日付時刻の昇順或いは降順に基づいて付与された順であることを特徴とする請求項２乃至５の何れか１項記載の販売管理システム。
【請求項７】
前記識別情報は、少なくとも前記携帯端末を操作する操作者とその操作者の所属を識別する情報であることを特徴とする請求項２乃至６のいずれか１項記載の販売管理システム。
【請求項８】
前記記憶部は、識別情報として操作者の所属を記憶し、送信手段による送信時に前記識別情報の所属と前記記憶部で記憶する所属とが一致する商品情報を送信することを特徴とする請求項７記載の販売管理システム。
【請求項９】
前記携帯端末は、バーコードリーダを備えていることを特徴とする請求項１乃至８の何れか１項記載の販売管理システム。
【発明の詳細な説明】
【技術分野】
【０００１】
本発明はスーパーマーケットやコンビニエンスストア等の店舗で陳列販売される商品の販売価格等をチェックすることが出来る販売管理システムに関する。
【背景技術】
【０００２】
従来、スーパーマーケット等の店舗では、青果物や鮮魚等の生鮮食品を期間或いは時間を区切って通常販売している価格より安く顧客へ提供する特売を実施することがある。そして、その特売を実施する日は、来店する顧客に、より多く購入してもらう為に陳列する商品の近傍に価格や産地を告知するＰＯＰ広告を掲示して販売促進活動が行なわれる。
しかし、青果物や鮮魚等の生鮮食品の流通は、卸売市場を経て店頭に並ぶ「相場商品」であるので値段が変動しやすく、店頭に並ぶ量と販売価格は当日仕入れた量と値段により決定される為、日によって大きく変わることがある。
【０００３】
従って、販売予定価格を変更せざるを得ない場合があり、予め販売促進用に用意していたＰＯＰ広告が掲示使用できないことがある。そのような場合に、もしも間違って実売価格と異なる価格が表示されたＰＯＰ広告や棚札を掲示使用した場合、顧客が見たＰＯＰ広告の表示価格と、代金を精算する精算端末に登録されている実売価格とが相違してしまう為、会計精算する顧客に迷惑を掛けるのみならず、店舗は信用を失ってしまうという大きな問題に発展する可能性がある。
【０００４】
上記のような問題が発生しないように、店員が特売の実施前に携帯端末を使い、商品に付されたコード情報に基づいて精算端末或いは管理装置に登録されている販売価格を前記携帯端末の画面へ表示させて、対象となる商品の近傍に掲示されているＰＯＰ広告或いは棚札の表示価格と前記携帯端末に表示されている価格とを見比べ照合チェックする販売価格チェックを行なっている。そして、価格が異なっている場合には、正しいＰＯＰ広告の作成や取替えを行なう、精算端末に登録されている販売価格を正しい価格に変更する等の作業が行なわれる（例えば、特許文献１参照）。
【０００５】
しかし、特売商品として販売される青果物や鮮魚等の生鮮食品は、商品にコード情報（バーコード等）が付されていないことが多いために、前記携帯端末を使って販売価格をチェックすることが出来ないという欠点があった。
【０００６】
その為、前記青果物や鮮魚等の生鮮食品の販売価格をチェックする道具として、精算端末に登録されているプリセットキー一覧表（前記精算端末で商品を簡易的に呼び出して会計する為にレジのボタン毎に対応する商品とその販売価格等を設定した内容が記載された一覧表）を帳票出力し、或いは特売商品のリストを印刷し、その印刷した帳票を用いて売価のチェックが行なわれていた。
【０００７】
しかしながら、帳票出力された一覧表を用いての販売価格チェックは、実際に陳列されている商品と一覧表に記載されている商品を照合させるため大変煩雑な作業で、販売価格をチェックする商品の照合間違いや、チェック対象商品の見落としやチェック漏れが発生する可能性があった。
【０００８】
また、青果物や鮮魚等の生鮮食品は帳票（一覧表）を使って販売価格をチェックし、それ以外の商品は携帯端末を使って販売価格をチェックするという二系統の販売価格チェック方式であるため、一連のチェック作業の中で、紙を用いたチェックと携帯端末を用いたチェックとを交互に行なわなければならないこともあり、販売価格チェック作業が煩雑で、余計な時間や手間が掛かるという欠点があった。
【０００９】
【特許文献１】特開平８−１６１６３８号公報
【発明の開示】
【発明が解決しようとする課題】
【００１０】
本発明は上記した従来の技術が有する問題点に鑑みてなされたもので、その目的とするところは、店舗で陳列販売されている全ての商品の表示情報（例えば、販売価格、生鮮食品の鮮度等）を簡単にチェックすることができる販売管理システムを提供する。
【課題を解決するための手段】
【００１１】
上記目的を達成する為に本発明の販売管理システムは、販売する商品の少なくとも品名と販売価格とを含む商品情報を記憶する管理装置と、前記商品情報を一つ宛表示して棚札或いはＰＯＰ広告の表示内容をチェックする携帯端末とがネットワークで接続された販売管理システムにおいて、前記商品情報をチェックした時に、そのチェックした順番を記憶しておき、次回チェックする際、前記記憶した順番で商品情報を呼び出すことを特徴とする（請求項１）。
前記販売する商品とは、ネットワークに接続された精算端末（ＰＯＳレジスタ）で会計処理される商品のことであり、前記管理装置は、販売する商品の少なくとも品名と販売価格とを含む商品情報（ＰＯＳ情報）を統括管理するサーバで、前記携帯端末は例えばプラウザ機能を搭載した携帯端末である。尚、前記携帯端末はブラウザを搭載したものに限らず、前記統括管理するサーバから商品情報をバッチで携帯端末に受信保持する方式のものでもよい。この方式を用いる場合、該携帯端末に受信保持した商品ファイルに基づいて商品情報を該携帯端末の表示部へ表示し、チェックした順番を該携帯端末が保持する商品情報へ記憶させ、次回呼出し時に記憶したチェック順に呼出し表示するようにしてもよい。
前記管理装置が記憶する商品情報としては、商品の分類区分（所属）、品名、販売価格の他に、商品のアップデート日付時刻、記憶順、加工（製造）日時、鮮度管理日時（消費期限、賞味期限）、賞味日時、識別情報、チェック日付時刻、チェック（確認）順等が挙げられ、前記チェック順は、棚に商品が並んだ順にチェックした順番を記憶したもので、そのチェックされた日付時刻はチェック日付時刻へ記憶される。また、前記記憶順とは商品データの販売価格を設定或いは変更した順であり、その設定或いは変更された日付時刻は商品のアップデート日付時刻に記憶される。
又、前記管理装置の記憶部に記憶され、携帯端末へ送信される商品情報の表示順としては、前記チェック順以外に、例えば入荷した商品の販売価格をアップデートした順番、商品が入荷した順番、或いは商品の入荷順と販売価格のアップデートした順とを組み合わせた順番を表示順としてもよい。更に、惣菜やパン等の加工食品を店舗内で製造している場合には、加工日時（製造年月日）の順番を表示順としてもよい。
前記アップデートとは、前記商品情報の内容を、より新しいものに設定或いは変更することの意味であり、新規に商品情報が登録追加されることをも含むものである。
【００１２】
上記手段によれば、管理装置で当日販売する商品の販売価格がチェック（アップデート）された順番に商品情報が記憶され、他方、携帯端末から要求手段により商品情報の送信要求をすると、前記管理装置にアップデートされた順番に記憶されている商品情報が携帯端末に送信され、表示手段に表示される。それにより、コード情報（バーコード）が付されていない商品を含む全ての商品がアップデートされた順番に携帯端末の表示手段に表示されるので、商品にコード情報が付されている／いないに関係なく販売価格、鮮度等をチェックすることが出来る。そして、記憶順を商品の入荷順や加工日時順とした場合は、生鮮食品や加工食品の鮮度管理等に有効活用することができる。
【００１３】
前記携帯端末は、前記管理装置が記憶する商品情報の送信要求と該管理装置から商品情報の受信を行う通信手段と、前記商品情報の取扱を識別する識別情報を入力する入力手段と、前記入力手段で入力された識別情報を前記管理装置へ問い合わせる問い合わせ手段と、前記一つ宛表示された商品情報をチェックするチェック手段と、前記チェック手段でチェックされた商品情報毎にチェック順を付与する付与手段と、を備え、前記管理装置は、前記商品情報をチェック順に記憶する記憶部と、前記商品情報を前記携帯端末に記憶順に送信する送信手段と、前記記憶部に前記商品情報の取扱を識別する識別情報を記憶し、更に前記携帯端末から受信した識別情報に基づいて前記商品情報の取扱を承認する承認手段と、を備え、前記携帯端末が前記通信手段による送信要求時に前記識別情報を前記管理装置に送信し、管理装置は前記携帯端末から受信した送信要求の識別情報に合致する記憶順の商品情報が記憶部に存在する場合、該記憶順の商品情報を携帯端末に順次送信し、携帯端末は受信した記憶順の商品情報を表示してチェックし、チェック手段でチェック順を付与して管理装置に送信し、管理装置は記憶部に記憶する前記記憶順の商品情報をチェック順の商品情報として記憶する（請求項２）。
前記携帯端末の入力手段から入力する識別情報としては、商品情報を取り扱う作業者、或いは作業者が使用する携帯端末等の個体識別等が挙げられる。
【００１４】
上記手段によれば、商品情報（例えば、販売価格）をチェックする作業者は、携帯端末より識別情報を入力して送信要求を管理装置に送信すると、該管理装置は記憶部に記憶する識別情報と合致する記憶順の商品情報が存在すると、該当する記憶順の商品情報を携帯端末に順次送信する。携帯端末は受信した記憶順の商品情報を表示手段に表示し、商品陳列棚に陳列された商品の表示内容と比較チェックし、チェックした商品情報にチェック手段によりチェック順が付与され、管理装置に送信される。管理装置は前記チェック順の情報を受信すると記憶部に記憶する前記記憶順の商品情報をチェック順に変更して記憶する。従って、商品情報が作業者によってチックされたことが管理装置に記憶されている商品情報の商品毎に記録される。
【００１５】
前記携帯端末は、前記管理装置が記憶する商品情報の送信要求と該管理装置から商品情報の受信を行う通信手段と、前記商品情報の取扱を識別する識別情報を入力する入力手段と、前記入力手段で入力された識別情報を前記管理装置へ問い合わせる問い合わせ手段と、前記一つ宛表示された商品情報をチェックするチェック手段と、前記チェック手段でチェックされた商品情報毎にチェック順を付与する付与手段と、を備え、前記管理装置は、前記商品情報をチェック順に記憶する記憶部と、前記商品情報を前記携帯端末に記憶順に送信する送信手段と、前記記憶部に前記商品情報の取扱を識別する識別情報を記憶し、更に前記携帯端末から受信した識別情報に基づいて前記商品情報の取扱を承認する承認手段と、を備え、前記携帯端末が前記通信手段による送信要求時に前記識別情報とチェック順を前記管理装置に送信し、管理装置は前記携帯端末から受信した送信要求の識別情報とチェック順とで前記記憶部を参照し、該記憶部に前記チェック順に対応する商品情報が存在する場合、当該チェック順の商品情報を携帯端末に順次送信するようにしてもよい（請求項３）。
【００１６】
上記手段によれば、商品情報（例えば、販売価格）をチェックする作業者は、携帯端末より識別情報、チェック順が付与された商品情報を管理装置に送信すると、該管理装置は記憶部に記憶する商品情報の中から受信した送信要求の識別情報とチェック順に対応する商品情報を検索し、該当するチェック順の商品情報が存在すると該商品情報が携帯端末に順次送信されてくる。
従って、作業者は前回自分が行なったチェック順で商品情報のチェック作業を行うことができる。それにより、チェック漏れの発生を防止できる。
【００１７】
前記携帯端末は、前記管理装置が記憶する商品情報の送信要求と該管理装置から商品情報の受信を行う通信手段と、前記商品情報の取扱を識別する識別情報を入力する入力手段と、前記入力手段で入力された識別情報を前記管理装置へ問い合わせる問い合わせ手段と、前記一つ宛表示された商品情報をチェックするチェック手段と、前記チェック手段でチェックされた商品情報毎にチェック順を付与する付与手段と、を備え、前記管理装置は、前記商品情報をチェック順に記憶する記憶部と、前記商品情報を前記携帯端末に記憶順に送信する送信手段と、前記記憶部に前記商品情報の取扱を識別する識別情報及びチェック順を記憶し、更に前記携帯端末から受信した識別情報に基づいて前記商品情報の取扱を承認する承認手段と、を備え、前記携帯端末が前記通信手段による送信要求時に前記識別情報とチェック順を前記管理装置に送信し、管理装置は前記携帯端末から受信した送信要求の識別情報と合致するチェック順に対応する商品情報が記憶部に存在しない場合、該管理装置は記憶部に記憶する前記識別情報と合致する記憶順の商品情報を携帯端末に順次送信する（請求項４）。
【００１８】
上記手段によれば、商品情報（例えば、販売価格）をチェックする作業者は、携帯端末より識別情報、チェック順が付与された商品情報を管理装置に送信すると、該管理装置は受信した識別情報が記憶部に登録されているか否かを検索し、該当する識別情報の登録がない場合は識別情報が登録されていない旨のメッセージを前記携帯端末に送信する。又、管理装置に受信した識別情報の登録はあるが、チェック順の商品情報が無い場合（一度チェックされた商品情報が再度アップデートされて記憶順の商品情報となった場合）は、更に商品情報の送信要求である場合は記憶部に記憶する商品情報を検索し、識別情報（部門、所属を含む）が一致するデータ（商品情報）で、未チェックのデータ（未だチェックされていない商品情報）、即ち記憶順（例えば、日付時刻の昇順、日付時刻の降順）のデータ（商品情報）、チェック不要のデータ（例えば、一定期間、販売価格が変動しない商品）を携帯端末に順次送信する。勿論、管理装置の記憶部に未チェックの記憶順の商品情報がなければ終了する。
【００１９】
又、前記記憶部が記憶する商品情報の項目に、該商品情報を送信するか否かを区分けする送信区分と、取扱の順位を設け、前記送信手段は、前記送信区分に基づいて商品情報を送信するか否かを判定し、更に取扱の順位に基づき商品情報を送信するようにしてもよい（請求項５）。
前記送信区分は、例えば販売価格をチェックする必要がある商品と、販売価格をチェックする必要がない商品とに区分けする。又、取扱の順位は、チェックする必要がある商品について取扱の重要度順、例えば、過去に販売価格のチェックでミスが発生した商品、販売価格のチェックをし忘れた商品等を挙げることができる。
【００２０】
上記手段によれば、商品情報（例えば、販売価格）をチェックする必要がない商品と、チェックする必要がある商品とを判定し、商品情報をチェックする必要がある商品だけを携帯端末へ送信することが出来るので、無駄なチェック作業を無くすことができる。しかも、チェックが必要な商品には更に取扱順位（チェックの重要度順）が設定されているので、過去に販売価格のチェックでミスが発生した商品や、販売価格のチェックをし忘れた商品等、チェックの重要度の高い商品からチェックを行うことができる。これにより、チェック作業をミスなく行なうことができる。
【００２１】
前記管理装置の記憶部に記憶される記憶順は、例えば商品情報が記憶された日付時刻の昇順或いは降順に基づいて付与された順番とする（請求項６）。
【００２２】
上記手段によれば、コード情報（バーコード）が付与されていない青果物や鮮魚等の生鮮食品が入荷された順に販売価格等の商品情報をアップデートし陳列させることにより、商品が入荷され陳列された順に商品情報を携帯端末の表示手段に表示でき、販売価格をチェックすることができる。そして、同一の場所を二人で販売価格等の商品情報のチェックを行なう場合、一人は日付時刻の昇順で、もう一人は日付時刻の降順で商品情報を携帯端末の表示手段に表示させてチェックを行うことができるので、チェックする場所が重なる（二重チェックする）ことなく、販売価格等の商品情報のチェック作業を効率よく行うことができる。
また、日付時刻の昇順で携帯端末の表示手段に商品情報を表示することにより、商品の陳列作業を行なう作業者と商品情報のチェック作業を行なう作業者とは作業場所が重なることはなく、お互いの作業の邪魔にならないように作業を行なうことができる。
【００２３】
更に、前記識別情報は、少なくとも前記携帯端末を操作する操作者とその操作者の所属を識別する情報とする（請求項７）。具体的には、操作者が所属する所属部署を識別する番号、所属部署名、操作者の名前等が挙げられる。
【００２４】
上記手段によれば、記憶手段に識別情報毎にチェック順の商品情報を記憶させることが可能となる。それにより、チェック作業における責任の所在を明確にでき、次回のチェック作業も記憶された識別情報毎のチェック順で商品情報が携帯端末に表示されるので、操作者（作業者）が所属する部署の商品情報をチェック順に従って漏れなくチェックすることが可能となる。
【００２５】
又、前記記憶部は、識別情報として操作者の所属を記憶し、送信手段による送信時に前記識別情報の所属と前記記憶部で記憶する所属とが一致する商品情報を送信するようにしてもよい（請求項８）。
【００２６】
上記手段によれば、記憶部に操作者の所属毎に商品情報が記憶順或いはチェック順に記憶することができる。それにより、操作者が所属する部署で販売する商品以外の商品情報は送信手段で送信されないので、不要な商品情報が携帯端末に表示されることはない。従って、不要なチェック作業を無くし、作業負荷を軽減することが出来る。
【００２７】
また、前記携帯端末は、バーコードリーダを備えたものとしてもよい（請求項９）。
上記手段によれば、コード情報（バーコード）が付された商品については、バーコードリーダによって商品に付されたバーコードを読み取り、それに基づいて管理装置或いは精算端末に登録されている商品情報を表示手段に表示してチェックすることができる。従って、単一の携帯端末でコード情報が付されていない商品、及びコード情報が付された商品の両方についてチェック作業を行なうことができる。
【発明の効果】
【００２８】
本発明の販売管理システムは請求項１記載の構成により、記憶する販売価格等の商品情報が棚札やＰＯＰ広告の表示内容との一致をチェックされた順番に記憶され、次回からチェックする際は、その順番で携帯端末の表示手段に表示することが出来る。それにより、コード情報（バーコード）が付されている／いないに関係なく販売価格等を含む商品情報を商品陳列順にチェックすることが出来るので、ＰＯＰ広告等に表示の商品情報を遅滞なくチェックすることができる。
そして、請求項２記載の構成により、管理装置に記憶する各商品の商品情報で、変更（アップデート）された順番（記憶順）で携帯端末に前記商品情報を表示させ、該携帯端末が表示する商品情報がチェックされた際に、チェックの有無とそのチェック順とが付与され前記管理装置へ送信され記録されるので、価格等が変更（アップデート)された陳列商品のチェック作業を確実に行うことができ、且つ、次回チェックする順番であるチェック順が記憶されるので、次回のチェック作業が容易となる。
そして、請求項３、４記載の構成により、作業者は前回自分が行なったチェック順で商品情報のチェック作業を行うことができる。それにより、作業者毎に作業を習慣化させてチェックミス、チェック漏れの発生を防止できる。
【００２９】
又、請求項５記載の構成により、商品情報（例えば、販売価格）をチェックする必要がない商品と、チェックする必要がある商品とを判定し、商品情報をチェックする必要がある商品だけを携帯端末へ送信することが出来るので、無駄なチェック作業を無くすことができる。しかも、チェックが必要な商品には更に取扱順位（チェックの重要度順）が設定されているので、過去に販売価格のチェックでミスが発生した商品や、販売価格のチェックをし忘れた商品等、チェックの重要度の高い商品からチェックを行うことができる。これにより、チェック作業をミスなく行なうことができる。
更に、請求項６記載の構成により、商品が入荷され陳列された順に商品情報を携帯端末の表示手段に表示でき、販売価格等の商品情報をチェックすることができる。そして、同一の場所を二人で販売価格等の商品情報のチェックを行なう場合、一人は日付時刻の昇順で、もう一人は日付時刻の降順で商品情報を携帯端末の表示手段に表示させてチェックを行うことができるので、チェックする場所が重なる（二重チェックする）ことなく、販売価格等の商品情報のチェック作業を効率よく行うことができる。また、日付時刻の昇順で携帯端末の表示手段に商品情報を表示することにより、商品の陳列作業を行なう作業者と商品情報のチェック作業を行なう作業者とは作業場所が重なることはなく、お互いの作業の邪魔にならないように作業を行なうことができる。
【００３０】
又、請求項７記載の構成により、記憶手段に識別情報毎にチェック順の商品情報を記憶させることが可能となる。それにより、チェック作業における責任の所在を明確にでき、次回のチェック作業も記憶された識別情報毎のチェック順で商品情報が携帯端末に表示されるので、操作者（作業者）が所属する部署の商品情報をチェック順に従って漏れなく確認することが可能となる。
さらに、請求項８記載の構成により、操作者が所属する部署で販売する商品以外の商品情報は送信手段で送信されないので、不要な商品情報が携帯端末に表示されることはない。従って、不要なチェック作業を無くし、作業負荷を軽減することが出来る。
また、請求項９記載の構成により、単一の携帯端末でコード情報が付されていない商品、及びコード情報が付された商品の両方についてチェック作業を行なうことができる。
【発明を実施するための最良の形態】
【００３１】
以下、本発明に係る販売管理システムの実施の形態の一例を図面に基づいて説明する。
本実施例は、スーパーマーケット等の店舗において陳列販売する商品、特にコード情報（バーコード等）が付されていない青果物や鮮魚等の生鮮食品の販売価格（商品情報）が入荷時設定した販売価格に対し変更された場合の販売価格のチェックに関する販売管理システムに関して説明する。
本発明の販売管理システムは、ＰＯＳ情報を統括管理する管理装置（サーバ）と、ＰＯＳレジスタ（精算端末）と、プラウザ機能を搭載した携帯端末とをネットワーク接続し、リアルタイムに商品情報を参照し店舗業務をサポートする。
【００３２】
図１は本発明に係る販売管理システムの一例を示す構成図で、販売する商品の少なくとも品名と販売価格とを含む商品情報を記憶する管理装置（サーバ）１と、顧客が購入する商品の商品情報を読み出して会計を行なうＰＯＳレジスタ（精算端末）２と、前記管理装置（サーバ）１から商品情報を入手して画面に表示し、チェックする携帯端末３と、前記携帯端末３を前記管理装置１、ＰＯＳレジスタ（精算端末）２と無線接続するＬＡＮ及びアクセスポイント４とで構成されている。
【００３３】
図２は管理装置（サーバ）１の電気ブロック図で、管理装置の動作を統括して制御するＣＰＵ１-1にバスを介してＲＯＭ１-2、ＲＡＭ１-3、記憶部１-4、通信部１-5、表示部１-6、入力部１-7が接続されて構成されている。
上記ＣＰＵ１-1は、ＲＯＭ１-2の制御プログラムに従ってＲＡＭ１-3のワークエリアを用いて処理を行なうことにより管理装置の動作を統括して制御する。
上記ＲＯＭ１-2には前記ＣＰＵ１-1が実行する、予め決められた制御プログラムが記憶されている。
上記ＲＡＭ１-3は、前記ＣＰＵ１-1が動作する為に必要なフラグやレジスタを設け、複数の記憶領域を有し、各ファイルから読み出されたデータが一時的に格納される。
上記記憶部１-4は、書き換え可能な記憶部で、動作プログラムやジャーナルファイル、商品情報（図５参照）、識別情報（図６参照）、及びその他の各種データ等を記憶しており、その記憶内容は種類毎に分けて記憶されている。
【００３４】
上記通信部１-5は、ＬＡＮを介して精算端末２と情報通信を行い、更に前記ＬＡＮ上に接続されたアクセスポイント４を介し無線通信によって携帯端末３と情報の授受（送受信）を行なう。尚、帳票等の印字出力は前記ＬＡＮ上に接続されている印刷装置によりＬＡＮ経由で行なわれる。
上記表示部１-6は、商品情報等を表示するもので、液晶表示器、液晶タッチパネル等で構成されている。
上記入力部１-7は、管理装置に接続されたキーボード及びマウス等で構成されている。
【００３５】
前記管理装置（サーバ）１が管理するデータは、公知技術であるＳＱＬ（エスキューエル）データベース言語、リレーショナルデータベースマネージメントシステム（ＲＤＢＭＳ）を用いてデータを操作することができるデータベースを利用した仕組みで、ＳＱＬを用いることで、新しいデータの追加や既存データを任意項目で昇順降順に並べ替えたり、又は必要なデータを必要なデータ形式でその都度参照したり生成したりすることができるものであり、検索するためのキーをその都度組み合わせてデータベースへリクエストすることにより、必要なデータを引き出して利用することができる。
【００３６】
前記ＰＯＳレジスタ（精算端末）２は買上げ商品の精算を行うレジに設置されるもので、図３の電気ブロック図に示すように、ＣＰＵ２-1と、前記ＣＰＵ２-1にバスを介してハードディスク２-2、ＲＯＭ２-3、ＲＡＭ２-4、商品に付されているバーコードを読み取るスキャナ部２-5、液晶タッチパネル部２-6、客用表示部２-7、レシート印字部２-8、ドロワ部２-9、通信部２-10、操作部２-11、カードリーダ部２-12、ブザー２-13が接続されて構成されている。
【００３７】
前記ハードディスク２-2は、書き換え可能な記憶部で、前記管理装置１からダウンロード取得した商品情報（図５参照）、識別情報（図６参照）、及びその他の各種情報等を記憶しており、その記憶内容は種類毎に分けて記憶されている。
前記液晶タッチパネル部２-6は、表面がタッチされることで各種の表示と、操作を可能とするもので、各種モードの切換や、各種操作ができるように構成されている。
前記客用表示部は、ＰＯＳレジスタ（精算端末）２で精算される買上げ商品の情報（品名、販売価格等）を顧客に向けて表示するもので液晶表示器、液晶タッチパネル等で構成されている。
前記カードリーダ部２-12は、メモリーカード（例えば、ＣＦカード）に記憶されたデータ等を読み取る読取機である。
【００３８】
前記携帯端末３は図４の電気ブロック図に示すように、ＣＰＵ３-1と、前記ＣＰＵ３-1にバスを介してＲＯＭ３-2、ＲＡＭ３-3、商品に付されているバーコードの持つ情報を読み取るスキャナ部３-4、入力されたデータや管理装置（サーバ）１から入手した商品情報等を表示する液晶タッチパネル部（表示手段）３-5、操作部３-6、管理装置（サーバ）１やＰＯＳレジスタ（精算端末）２と通信を行なう通信部（送受信部）３-7、エラー等が発生した時に警報を発するブザー３-8、電源制御部３-9が接続され、更に前記電源制御部３-9に充電式電池３-10が接続されて、携帯端末３が機能するように構成されている。
前記操作部３-6は、図７に示すように、前記スキャナ部３-4をバーコードの読み取り可能状態にするトリガ61（本体の側面にももう1個配置されている）、カーソル位置の1つ前の値を消去するＣＬＥＡＲキー62、画面をスクロールする上下左右カーソルキー63、処理を実行、また入力値を確定するＥＮＴＥＲキー64、入力項目に値を入力するときに使用するテンキー65等を備え、商品に付されたバーコードの読み取り、各種の入力（書き換え変更を含む）を行なうようになっている。
【００３９】
前記管理装置（サーバ）１の記憶部に記憶する商品情報は、図５に示すように、商品毎に当該商品を取り扱う所属部署のコード番号、所属名、ＪＡＮコード、商品名称、通常売価、特売価格、アップデート日付時刻、記憶順、鮮度管理日付時刻、仕入加工（製造）日時、賞味日時（又は消費期限）、データ区分、識別情報、チェック日付時刻、チェック順、チェック区分等の項目によって構成されている。
【００４０】
前記商品情報の「アップデート日付時刻」とは、商品に関するデータ、例えば販売価格等を設定、又は変更修正した日時を表し、一日の内に数回（例えば、午前と午後の二回）販売価格を変更する場合はそのアップデートの都度、当該日時が変更記憶される。
又、「記憶順」とは、前記商品情報が記憶部に記憶された日付時刻の昇順或いは降順に基づいて付与された順番を表す。この記憶順は携帯端末に送信され、携帯端末の表示手段に表示され、商品陳列棚に陳列された商品の商品情報と比較チェックされ、チェック完了時にチェック手段が操作されるとチェック順の番号が付与され、そのチェック順の番号が該携帯端末から管理装置に送信される。そして、管理装置の記憶部に記憶された商品情報の該当商品における「チェック順」の項目にその順番が記憶され、前記「記憶順」の項目は空欄になる。
「鮮度管理日付時刻」とは、その商品の仕入日時又は加工（製造）日時に当該商品の賞味日時（又は消費期限日数）を加算した賞味期限日時（又は消費期限日時）を表す。例えば、図５の商品名称「牛もも薄切り肉」の場合は、仕入加工（製造）日時が２００８年６月１３日午前８時２０分（「２００８０６１３０８２０００」）で、賞味日時が「１日」であるから鮮度管理日付日時は前記仕入加工（製造）日時に賞味日時の「１日」を加算した２００８年６月１４日午前８時２０分（「２００８０６１４０８２０００」）となる。
【００４１】
前記［データ区分」は、商品情報を携帯端末へ送信してチェックする必要があるか否かを区別し、且つチェックする必要がある商品情報の中で更にチェックの重要度が高いもの等を区分け表示する。具体的には、「００」はチェック不要、「０１」はチェック必要、「１０」チェック重要、「１１」は予備を表す。
【００４２】
前記「識別情報」は、前記商品情報の取扱（チェックの作業）をする従業員（作業者）を識別する情報で、具体的には図６に示すように、識別のコード番号、携帯端末３を操作する従業員（作業者）の「所属」、「所属名」、「従業員名称」等で構成されている。尚、「所属」、「所属名」は前記商品情報（図５参照）の「所属」、「所属名」と同じである。
【００４３】
前記「チェック日付時刻」とは、商品陳列棚に陳列された商品の商品情報を当該商品が所属する所属部署の作業者によって携帯端末が入手した商品情報を表示してチェックした時刻を表す。例えば、「牛もも薄切り肉」は２００８年６月１３日午前８時２０分（２００８０６１３０８２０００）に仕入れ加工され、同日午前９時０１分（２００８０６１３０９０１０１）に特売価格がアップデートされているが、「チェック日付時刻」及び「チェック順」の欄が空欄であるということは、未だ商品情報がチェックされていないことを意味する。
「チェック順」とは、前記携帯端末の表示手段（画面）に表示された商品情報をチェックした順に基づいて付与される順番を表し、その順番はチェック日付時刻によって表してもよい。そして、チェック順の商品情報が再度アップデートされた場合はその日時が前記「アップデート日付時刻」の欄に書き込まれ、記憶順の番号が付されて前記「チェック順」の欄は空欄となる。
前記「チェック区分」とは、前記記憶手段に記憶されたチェック順の商品情報が、携帯端末から送信要求に基づいて前記チェック順のデータが参照（利用）されたか否かを表すもので、具体的には「０」が未チェック、「１」がチェック済みを表す。
【００４４】
次に、本発明の販売管理システムの動作を、販売価格のチェックについて図８乃至図１０のフローチャートに基づいて説明する。
図９は、携帯端末３のフローチャートで、管理装置１より商品情報を取得して商品陳列棚に陳列された商品の販売価格表示（棚札、ＰＯＰ広告等）と照合チェックする。以下、管理装置１から商品情報を取得するまでの流れを図９のフローチャートに基づいて説明する。尚、スタートは携帯端末３の電源スイッチをＯＮすることで開始する。
Ｓ１０１…従業員が携帯端末３を無線通信、ＬＡＮを介して管理装置（サーバ）１に接続し、ログインする為の識別情報（ログインＩＤ、パスワード）を、操作部３-6を操作して入力する。
Ｓ１０２…携帯端末３の表示部（画面）に表示させるデータ（商品情報）の表示指定を行なう。例えば、チェック順（自分が前回行なったチェック順番）、販売価格が変更登録された日付時刻昇順、販売価格が変更登録された日付時刻降順等の指定を行う。
Ｓ１０３…Ｓ１０２で指定したデータ（商品情報）を管理装置（サーバ）１に送信要求する。初めての送信要求時は、前記データの指定と識別情報が管理装置（サーバ）１に送信される。次回以降は、表示するデータの指定のみが送信される。
Ｓ１０４…管理装置（サーバ）１からデータ（商品情報）を受信する。
Ｓ１０５…受信したデータがエラーであるか否かを判定する。受信したデータが管理装置（サーバ）１からのエラーである場合（YES）はＳ１０６へ分岐し、エラーでない場合（NO）はＳ１０７へ進む。
Ｓ１０６…エラー情報を携帯端末の表示部（画面）に表示し、所定時間（例えば数秒）表示した後Ｓ１０１へ戻る。
【００４５】
Ｓ１０７…受信した商品情報を液晶タッチパネル部（表示手段）３-5へ表示する（図８参照）。
Ｓ１０８…表示された商品情報を基に該当商品の棚札やＰＯＰ広告に表示された販売価格との照合チェックを行なう。表示された商品情報をチェックしない場合（NO）は携帯端末の表示画面（図８参照）中の「前」、「次」の何れかの表示ボタンを選択指示する。「前」又は「次」が指示されるとＳ１０３へ戻り、それ以外の場合はＳ１０９へ進む。
Ｓ１０９…携帯端末に表示された商品情報を基に該当商品の販売価格の照合チェックを行い、チェック（確認）ボタンを押す或いは販売価格が設定或いは変更されるとＳ１１０へ進む。
Ｓ１１０…携帯端末３が備える付与手段によってチェック順の番号が付与される。
Ｓ１１１…Ｓ１０９で販売価格が設定或いは変更された場合は、その設定或いは変更された販売価格データを管理装置に送信、及び次に表示すべきデータ（商品情報）の送信要求を管理装置へ要求するため、（YES）となりＳ１０３へ戻る。尚、管理装置から送信すべき商品情報が無い場合、或いは次に表示すべき商品情報の送信要求をすることなく完了ボタンが押された場合にはＳ１１２へ進む。
Ｓ１１２…管理装置（サーバ）１へ終了する旨を送信する。尚、最終の商品情報がチェックされた時に未送信のチェック順の商品情報がある場合は、識別情報及びチェックを含み完了データを送信する。
【００４６】
次に、管理装置（サーバ）１の記憶部の概要を図１０のフローチャートに基づいて説明する。
Ｓ２０１…携帯端末３からのデータ送信要求（データ受信）を待つ。携帯端末からのデータ送信要求を受信した場合はＳ２０２へ進む。
Ｓ２０２…受信したデータが完了データであるかを判定する。完了データを受信した場合（YES）はＳ２１１へ分岐し、それ以外の場合（NO）はＳ２０３へ進む。
Ｓ２０３…承認（ログイン）済みか否かの判定を行なう。管理装置が受け取った識別情報で、まだ承認していない場合（NO）はＳ２０４へ分岐し、既に承認済みである場合（YES）はＳ２０５へ進む。
Ｓ２０４…受け取った識別情報を基に管理装置１の記憶部に記憶されている識別情報のファイル（図６参照）を検索し、承認がＮＧか否かを判定する。識別情報のファイルに前記受け取った識別情報の登録がある場合（NO）はＳ２０５へ分岐し、識別情報の登録がない場合（YES）はＳ２０６へ進む。
Ｓ２０５…携帯端末へ送信するデータ（商品情報）の準備が済んでいるか否かの判定を行なう。送信するデータの準備が済んでいない場合（NO）はＳ２０７へ分岐し、既に送信するデータの準備が済んでいる場合（YES）はＳ２０８へ進む。
Ｓ２０６…携帯端末から入力送信された識別情報が管理装置に登録されていない旨のメッセージを送信準備する。
Ｓ２０７…携帯端末に送信するデータの準備を行なう。以下、データの準備について図１１のフローチャート（Ｓ３０１〜Ｓ３０７）に基づいて詳細に説明する。
【００４７】
Ｓ３０１…携帯端末から送信要求されたデータ（商品情報）が、チェック順か、記憶順かの判断を行う。チェック順のデータである場合（YES）はＳ３０２へ分岐し、記憶順（日付時刻順）である場合（NO）はＳ３０４へ進む。
Ｓ３０２…商品情報に、指定された識別情報が登録されているか否かをチェックする。登録されていない場合（NO）はＳ３０４へ分岐し、登録されている場合（YES）はＳ３０３へ進む。
Ｓ３０３…チェック順の昇順或いは降順でデータをソートして送信の準備を行なう。チェック順のソート順は、携帯端末からの指示により昇順或いは降順でソートが行なわれる。また、ソート時には空欄のデータは対象外のデータとして送信の準備より外される。
Ｓ３０４…携帯端末からの指示により、記憶順（日付時刻）の指定が、降順或いは昇順かに基づいて、日付時刻の昇順或いは降順でデータをソートする。
Ｓ３０５…ソートした順番に番号を付与する。
【００４８】
Ｓ２０８…携帯端末で表示するデータがチェック順であるか否かを判定する。チェック順である場合（YES）はＳ２０９へ進み、記憶順（日付時刻順）である場合（NO）はＳ２１１へ分岐する。
Ｓ２０９…記憶部に記憶されているチェック順のデータを参照する。
Ｓ２１０…参照できた場合（YES）はＳ２１８へ進み、データが送信される。参照できなかった場合（NO）はＳ２１１へ分岐する。
Ｓ２１１…携帯端末から送信されたデータにチェック順が含まれているか否かの判定。チェック順が含まれている場合（YES）はＳ２１２へ進み、チェック順のデータが含まれていない場合（NO）はＳ２１３へ分岐する。
Ｓ２１２…チェック順を記憶部に記憶する。即ち記憶部に記憶した記憶順の商品情報が所属部署の作業者によってチェックされ、そのチェック順の商品情報が携帯端末から管理装置に送信されることで、前記記憶順がチェック順に切り替わり記憶される。尚、チェック順のデータで、販売価格などが変更（アップデート）された場合、該チェック順のデータは記憶順のデータに切り換えられて記憶される。
Ｓ２１３…携帯端末から送信されたデータが送信要求であるか否かを判定。送信要求である場合（YES）はＳ２１４へ進み、そうでない（完了）である場合（NO）は終了する。
【００４９】
Ｓ２１４…記憶部に記憶されている商品情報に未チェックのデータ（チェックが済んでいないデータ）が存在するか否かを判定する。即ち、識別情報、所属が一致するデータで、チェック済みデータ（チェック順のデータ）以外に送信すべきデータ（即ち、記憶順のデータ）が存在するか否かを判定する。存在する場合（YES）にはＳ２１５へ進み、存在していない場合（NO）は終了する。
Ｓ２１５…記憶順（日付時刻順）でデータを参照する。
Ｓ２１６…記憶順（日付時刻順）のデータ参照でＯＫ（問題なし）である場合（YES）はＳ２１８へ分岐し、データが送信される。データ参照がＮＧである場合（NO）はＳ２１７へ進む。
Ｓ２１７…識別情報、所属が一致するデータで、参照すべきデータが無い旨を報知するメッセージの送信準備を行なう。
Ｓ２１８…参照準備されたデータ或いはエラー等の準備されたメッセージを携帯端末へ送信する。図８に携帯端末の液晶タッチパネル部（表示手段）３-5に表示される販売価格のチェック表示画面（商品情報）例を示す。
【００５０】
本発明の販売管理システムは上記構成により、例えば商品の販売価格チェック作業においては、青果物や鮮魚等の生鮮食品が店舗へ入荷した順に、販売価格をアップデートし、その販売価格がアップデートされた商品から店頭に順次陳列される。そして、前記入荷した商品の販売価格のアップデート順に、商品情報が管理装置（サーバ）１の記憶部に記憶保存される。他方、ブラウザ機能を搭載した携帯端末３には、該携帯端末からの送信要求により前記記憶順の商品情報が順次送信され、該携帯端末の液晶タッチパネル部（表示手段）３-5に表示される為、バーコードが付されていない商品の販売価格を確実にチェックすることができる。
【００５１】
又、青果物や鮮魚等の生鮮食品の陳列は、特定の期間変わることが少ないため、携帯端末に商品情報を表示して販売価格をチェックした順番を管理装置に記憶させておくことで、次回販売価格をチェックする時に、その記憶させておいたチェック順に携帯端末の液晶タッチパネル部（表示手段）３-5に商品情報を表示させれば、バーコードが付されていない商品であっても、携帯端末の液晶タッチパネル部（表示手段）３-5に商品が陳列されている順に商品情報を表示させて販売価格をチェックすることができる。
【００５２】
また、特売等を行う場合には、特売商品の販売価格のアップデート及び陳列が優先して行なわれるので、この販売価格が変更された順に携帯端末の液晶タッチパネル部（表示手段）３-5に商品情報を表示させることにより、バーコードが付されていない商品を含み販売価格の変更があった商品の販売価格をチェックすることができる。
更に、前記商品情報には取り扱い順位（チェックの重要度）が項目に含まれているため、過去に販売価格チェックでミスが発生した商品や、販売価格のチェックをし忘れた商品等から販売価格のチェック作業を行なうことができる。
【００５３】
本発明は図示した実施の形態に限定されず、本発明の要旨を変更しない範囲で変更可能である。
（１）実施の形態では、販売価格のチェックについて説明したが、販売価格のチェックのみに限らず、鮮度をチェックする鮮度管理、商品の棚卸（在庫管理）、商品の陳列位置及び商品の数をチェックすること等に用いてもよい。これにより、誰もが同じ順で商品のチェック作業を行なうことができるので、漏れなくチェック作業を行なうことができ、後で正しくチェック作業が行なわれたかをチェックした順番に再度確認し直すことができる。
（２）実施の形態では、識別情報を従業員（作業者）を識別する情報として記載しているが、これに限らず、携帯端末番号、陳列位置情報等を識別情報として用いてもよい。
陳列位置情報を識別情報として用いた場合、陳列横順、陳列縦順等のチェック順を指示することもできるので、従業員（作業者）の歩数、及び移動距離を削減することができ、従業員の作業負荷を軽減することができる。
又、識別情報を従業員（作業者）が所属する部門毎の携帯端末番号とした場合、チェック作業を別の従業員（作業者）と交替しても同じチェック順で確認作業を行なうことができるので、チェック作業の標準化と習慣性を持たせることができるので、チェック作業ミスを無くすことができる。
（３）実施の形態では、記憶順を販売価格がアップデートされた順番としているが、これに限らず、商品が入荷した順を記憶順としてもよい。また、商品の入荷順と販売価格のアップデート順とを組み合わせた順を記憶順としてもよい。又、惣菜やパン等の加工食品の場合には、製造年月日（加工時刻）順を記憶順としてもよい。また、日配品（製造後の販売可能期間（賞味期間）が短く、原則として毎日発注、毎日納品される食品（例えば、麺類、豆腐、油揚げ、牛乳、パン、デザート類、フローズン食品等）などで製造日付時刻順を用いることにより、鮮度管理等に有効活用することができる。
（４）チェック順は、チェックした順番に番号を付し、その番号で識別する方法に限らず、チェック日付時刻を付してチェックの順番を識別する、或いはチェック順の番号とチェック日付時刻との両方で識別する、或いは商品コードをチェック順に並べて記憶するようにしてもよい。
（５）携帯端末も商品情報の表示順の決定の方式は、携帯端末で商品ファイルを記憶し
商品毎に表示順を記憶してもよい。
（６）表示順の順番の記憶方法は、商品ファイルに表示順の順番を記憶する方式の他に、商品ファイルの商品データと紐付けられた別のファイル（表示順を記憶するテーブル）へ商品毎の表示順の順番を記憶する等何れの方式でもよい。
（７）実施の形態では、ブラウザを搭載した携帯端末を用いて説明を行っているがこれに限らず、統括管理するサーバが記憶する商品情報を携帯端末がバッチで受信保持する方式のものでもよい。この方式を用いる場合、該携帯端末が受信保持した商品ファイルに基づいて商品情報を該携帯端末の表示部へ表示し、チェックした順番を該携帯端末が保持する商品情報に記憶し、次回呼出し時に前記記憶したチェック順に商品情報を呼出して表示するようにしてもよい。この方式により、統括管理するサーバのダウン、或いは通信環境に不備があり通信が出来ない状況であったとしても、該携帯端末は商品情報をその都度問合せ受信する必要が無く、作業者は、動作環境に左右されること無く商品情報のチェック作業を行うことができる。また、統括管理するサーバでアップデートされたデータや、携帯端末が保持する商品情報が変更になったデータを統括管理するサーバと携帯端末とで適宜バッチで送受信しデータを同期させるようにしてもよい。これにより、データの共有と整合性を持たせることを実現できる。
（８）実施の形態では、管理装置の記憶部に記憶する商品情報で該当商品が携帯端末でチェックされると、該当商品の「チェック順」の項目にその順番が記憶され、「記憶順」の項目が空欄になるようにしているがこれに限らず、「チェック順」或いは「記憶順」の項目を空欄にすること無く、付与する順番をその都度増やし続け、付与する順番が制限値になった時に初期値に戻り順番を付与するように繰り返して、夫々が記憶する順番が重ならない（重複しない）ようにする方式を用いてもよい。この場合、該当商品の商品情報がチェック済みであるか否かの判定はチェック区分を用いて行うが、その判定は、チェック済み「１」の場合は「チェック順」が付与されたことを表し、未チェック「０」の場合は「記憶順」が付与されたことを表していると判定することにより、商品情報の記憶された状態を正しく判定することができる。
【図面の簡単な説明】
【００５４】
【図１】本発明のシステム概念図。
【図２】本システムを構成する管理装置の電気ブロック図。
【図３】本システムを構成する精算端末の電気ブロック図。
【図４】本システムを構成する携帯端末の電気ブロック図。
【図５】管理装置の記憶部に記憶される商品情報の内容を示す図。
【図６】管理装置の記憶部に記憶される識別情報の内容を示す図。
【図７】携帯端末の一例を示す外観図
【図８】携帯端末の表示手段に表示される商品情報表示例図。
【図９】携帯端末のフローチャート図。
【図１０】管理装置のフローチャート図。
【図１１】管理装置のＳ２０７（表示データ準備）の詳細を示すフローチャート図。
【符号の説明】
【００５５】
１…管理装置（サーバ）            ２…ＰＯＳレジスタ（精算端末）
３…携帯端末
【図１】
2010055278.tif 000003
【図２】
2010055278.tif 000004
【図３】
2010055278.tif 000005
【図４】
2010055278.tif 000006
【図５】
2010055278.tif 000007
【図６】
2010055278.tif 000008
【図７】
2010055278.tif 000009
【図８】
2010055278.tif 000010
【図９】
2010055278.tif 000011
【図１０】
2010055278.tif 000012
【図１１】
2010055278.tif 000013